(57)【要約】【課題】番組データーに関係するＰＳＩやＳＩ情報を記録する際、メモリー容量の負荷を低減させて容易に番組情報を保持することが可能な録画装置を提供する。【解決手段】複数のデーターが重畳されたトランスポートストリームから録画対象番組のパケットを抽出してメモリーに記録する録画装置において、前記トランスポートストリームに重畳されたＮＩＴ、ＳＤＴ、ＥＩＴの内、録画対象番組に関係する情報のみを抽出する情報抽出手段と、前記抽出された情報を前記メモリーに記録する記録手段と、を有する。【選択図】図３
2011155374.tif 000002
【特許請求の範囲】
【請求項１】
複数のデーターが重畳されたトランスポートストリームから録画対象番組のパケットを抽出してメモリーに記録する録画装置において、
前記トランスポートストリームに重畳されたＮＩＴ、ＳＤＴ、ＥＩＴの内、録画対象番組に関係する情報のみを抽出する情報抽出手段と、
前記抽出された情報を前記メモリーに記録する記録手段と、を有することを特徴とする録画装置。
【請求項２】
前記情報抽出手段は、
ＮＩＴとＳＤＴにおいては、内部に記録されるテーブルＩＤをもとに録画対象番組に関係する情報を抽出し、
前記ＥＩＴにおいては、テーブルＩＤ、サービスＩＤ、及びランニングステータス、若しくは時刻情報をもとに録画対象番組に関係する情報を抽出することを特徴とする請求項１に記載の録画装置。
【請求項３】
前記情報抽出手段は、
前記テーブルＩＤをもとに前記ＥＩＴに含まれる、録画対象番組にかかるパケットが重畳されたトランスポートストリームにおける現在放送中の番組と次に放送される番組の番組情報を示すＥＩＴ＿present/followingを抽出し、
抽出された前記ＥＩＴ＿present/followingから、前記サービスＩＤをもとに録画対象番組と同一チャンネルのＥＩＴ＿present/followingを抽出し、
抽出された前記同一チャンネルのＥＩＴ＿present/followingから、前記ランニングステータス若しくは時刻情報をもとに録画対象番組に関係する情報を抽出することを特徴とする請求項２に記載の録画装置。
【請求項４】
前記記録手段は、前記抽出された各情報と、録画対象番組における映像パケット及び音声パケットとを合成してパーシャルＴＳを生成し、このパーシャルＴＳを前記メモリーに記録することを特徴とする請求項１から請求項３のいずれか一項に記載の録画装置。
【請求項５】
前記情報抽出手段は、
ＮＩＴとＳＤＴにおいては、内部に記録されるテーブルＩＤをもとに録画対象番組に関係する情報を抽出し、
前記ＥＩＴにおいては、テーブルＩＤをもとに前記ＥＩＴに含まれる、録画対象番組にかかるパケットが重畳されたトランスポートストリームにおける現在放送中の番組と次に放送される番組の番組情報を示すＥＩＴ＿present/followingを抽出し、
抽出された前記ＥＩＴ＿present/followingから、前記サービスＩＤをもとに録画対象番組と同一チャンネルのＥＩＴ＿present/followingを抽出し、
抽出された前記同一チャンネルのＥＩＴ＿present/followingから、前記ランニングステータス若しくは時刻情報をもとに録画対象番組に関係する情報を抽出し、
前記記録手段は、前記抽出された各情報と、録画対象番組における映像パケット及び音声パケットとを合成してパーシャルＴＳを生成し、このパーシャルＴＳを前記メモリーに記録することを特徴とする請求項１に記載の録画装置。
【発明の詳細な説明】
【技術分野】
【０００１】
本発明は録画装置に関し、特にデーターが多重されたＴＳを録画することが可能な録画装置に関する。
【背景技術】
【０００２】
デジタル放送により送信されるトランスポート・ストリーム（以下、ＴＳと記載する）では、映像パケット及び音声パケットに加えて、ＰＳＩ（Program Specific Information）やＳＩ（Service Information）といった情報が重畳されている。このＰＳＩやＳＩは、映像パケット及び音声パケットとのＴＳ上の位置を示すデーターや、番組内容等を示すデーターにより構成されており、受信装置はＴＳを受信すると、映像パケット及び音声パケットのＴＳ上の位置を上記ＰＳＩ、ＳＩを用いて判断し、同パケットを取得する。
【０００３】
また、上記ＰＳＩ、ＳＩの内、録画対象番組に関係したＰＳＩ、ＳＩのみを抽出して記録する技術が開示されている（例えば、特許文献１−４参照。）。
【先行技術文献】
【特許文献】
【０００４】
【特許文献１】特開２００４−０５５１１６号公報
【特許文献２】特開２００３−１５３２２０号公報
【特許文献３】特開２００２−２９０９９９号公報
【特許文献４】特開２００２−１４１８７７号公報
【発明の概要】
【発明が解決しようとする課題】
【０００５】
番組を録画する場合において、上記したＰＳＩ、ＳＩ情報は、録画対象番組とは関係が薄い情報をも含んで構成されている。しかしながら、従来の技術では、録画対象番組と関係が深い情報を取捨選択するための具体的な手法が開示されておらず、これら情報をメモリー容量の負荷を軽減させつつ保持することは難しかった。
【０００６】
本発明は、上記課題にかんがみてなされたもので、番組データーに関係するＰＳＩやＳＩ情報を記録する際、メモリー容量の負荷を低減させて容易に番組情報を保持することが可能な録画装置の提供を目的とする。
【課題を解決するための手段】
【０００７】
上記課題を解決するために、本発明では、複数のデーターが重畳されたトランスポートストリームから録画対象番組のパケットを抽出してメモリーに記録する録画装置において、前記トランスポートストリームに重畳されたＮＩＴ、ＳＤＴ、ＥＩＴの内、録画対象番組に関係する情報のみを抽出する情報抽出手段と、前記抽出された情報を前記メモリーに記録する記録手段と、を有する構成としてある。
【０００８】
上記のように構成された発明では、情報抽出手段は、トランスポートストリームに重畳されたＮＩＴ、ＳＤＴ、ＥＩＴの内、録画対象番組に関係する情報のみを抽出し、記録手段は、前記抽出された情報を前記メモリーに記録する。
そのため、録画対象番組をメモリーに記録する際、この番組と関係が深い情報のみを記録するため、メモリー容量の負荷を低減させて容易に番組情報を保持することができる。
【０００９】
また、情報抽出手段が、各情報を抽出構成の一例として、前記情報抽出手段は、ＮＩＴとＳＤＴにおいては、内部に記録されるテーブルＩＤをもとに録画対象番組に関係する情報を抽出し、前記ＥＩＴにおいては、テーブルＩＤ、サービスＩＤ、及びランニングステータス若しくは時刻情報をもとに録画対象番組に関係する情報を抽出する構成としてもよい。
上記のように構成された発明では、既存のテーブルＩＤ等を用いて情報を取捨選択するため、既存の情報を用いた簡易な処理により本発明を実現することができる。
【００１０】
そして、情報抽出手段がＥＩＴ情報を取捨選択する手法の一例として、前記情報抽出手段は、前記テーブルＩＤをもとに前記ＥＩＴに含まれる、録画対象番組にかかるパケットが重畳されたトランスポートストリームにおける現在放送中の番組と次に放送される番組の番組情報を示すＥＩＴ＿present/followingを抽出し、抽出された前記ＥＩＴ＿present/followingから、前記サービスＩＤをもとに録画対象番組と同一チャンネルのＥＩＴ＿present/followingを抽出し、抽出された前記同一チャンネルのＥＩＴ＿present/followingから、前記ランニングステータス若しくは時刻情報をもとに録画対象番組に関係する情報を抽出する構成としてもよい。
【００１１】
さらに、前記記録手段は、前記抽出された各情報と、録画対象番組における映像パケット及び音声パケットとを合成してパーシャルＴＳを生成し、このパーシャルＴＳを前記メモリーに記録する構成としてもよい。
ここで、パーシャルＴＳとは、ＰＳＩ、ＳＩにおける録画対象番組と関係する情報と、録画対象番組の映像パケット及び音声パケットとを合成させたＴＳを意味するものであり、放送波により伝送されるＴＳに比べてＰＳＩ、ＳＩの情報量が削除されている。
上記のように構成された発明では、メモリーには対応する情報と録画対象の映像・音声パケットとが簡易的なＴＳとして記録されるため、データーのアクセスを容易に行うことができる。
【００１２】
また、本発明の他の局面として、前記情報抽出手段は、ＮＩＴとＳＤＴにおいては、内部に記録されるテーブルＩＤをもとに録画対象番組に関係する情報を抽出し、前記ＥＩＴにおいては、テーブルＩＤをもとに前記ＥＩＴに含まれる、録画対象番組にかかるパケットが重畳されたトランスポートストリームにおける現在放送中の番組と次に放送される番組の番組情報を示すＥＩＴ＿present/followingを抽出し、抽出された前記ＥＩＴpresent/followingから、前記サービスＩＤをもとに録画対象番組と同一チャンネルのＥＩＴ＿present/followingを抽出し、抽出された前記同一チャンネルのＥＩＴ＿present/followingから、前記ランニングステータス若しくは時刻情報をもとに録画対象番組に関係する情報を抽出し、前記記録手段は、前記抽出された各情報と、録画対象番組における映像パケット及び音声パケットとを合成してパーシャルＴＳを生成し、このパーシャルＴＳを前記メモリーに記録する構成としてもよい。
【発明の効果】
【００１３】
以上説明したように本発明によれば、録画対象番組をメモリーに記録する際、この番組と関係が深い情報のみを記録するため、メモリー容量の負荷を低減させて容易に番組情報を保持することができる。
また請求項２，３にかかる発明によれば、既存のテーブルＩＤ等を用いて情報を取捨選択するため、既存の情報を用いた簡易な処理により本発明を実現することができる。
そして請求項４にかかる発明によれば、データーのアクセスを容易に行うことができる。
【図面の簡単な説明】
【００１４】
【図１】メディアプレーヤー１００の構成を説明するためのブロック図である。
【図２】ＴＳに重畳される各データーを説明するための図である。
【図３】制御部９４により、ＴＳからパーシャルＴＳが生成される過程を説明する図である。
【図４】メディアプレーヤー１００が録画時に実行する処理を説明するためのフローチャートである。
【図５】図４のステップＳ３において実行される処理を説明するフローチャートである。
【発明を実施するための形態】
【００１５】
以下、図を参照しつつ下記の順序に従って本発明の実施形態を説明する。
１．第１の実施形態：
２．第２の実施形態：
３．その他の実施形態：
【００１６】
１．第１の実施形態：
以下、図を参照して、この発明に係る録画装置を具体化した第１の実施の形態について説明する。なお、この第１の実施形態では、録画装置として、メディアプレーヤーをもとに説明を行う。
【００１７】
図１は、メディアプレーヤー１００の構成を説明するためのブロック図である。メディアプレーヤー１００は、アンテナが受信したデジタル放送又は図示しない外部端子を通じて取得された映像信号及び音声信号を記録媒体に記録するための装置である。本実施形態に係るメディアプレーヤーは、少なくとも、操作入力Ｉ／Ｆ９０、チューナー部９１、デ・スクランブル部９２、トランスポートデコーダー９３、制御部９４、ＡＶデコーダー９５、メモリーコントローラー９６、更には録画用メモリー９７を備えて構成されている。
【００１８】
操作入力Ｉ／Ｆ９０は、図示しないリモコン装置を通じて入力された操作入力を受付け、この操作入力を制御部９４が受信可能な形態に変換した後出力する。
【００１９】
チューナー部９１は、アンテナが受信した放送信号から所望の変調信号を抽出した後、この信号をアナログ・デジタル変換してＴＳ（トランスポートストリーム）を抽出する。
【００２０】
デ・スクランブル部９２は、Ｂ−ＣＡＳカード等に記録された鍵情報をもとにＴＳのスクランブルを解除する。
【００２１】
トランスポートデコーダー９３は、スクランブルが解除されたＴＳに重畳された、映像パケットＥＳ（Ｖ）及び音声パケットＥＳ（Ａ）、ＰＳＩ情報（ＰＡＴ、ＰＭＴ、ＮＩＴ、ＣＡＴ）、ＳＩ情報（ＳＤＴ、ＥＩＴ、ＢＡＴ、ＴＯＴ）の各パケットを抽出する。
【００２２】
図２は、ＴＳに重畳される各データーを説明するための図である。図２に示すように、放送波により複数のＴＳ（ＴＳ１〜ＴＳ３）が搬送され、１つのＴＳには、少なくともＰＳＩとしてＰＡＴ、ＰＭＴ、ＮＩＴが重畳され、ＰＳＩとして、ＳＤＴ、ＥＩＴが重畳され、更に、映像パケットＥＳ（Ｖ）及び音声パケットがＥＳ（Ａ）が重畳される。また、各パケットにはその位置を指定するためのＰＩＤ（Packet Identification）が付与されている。ＰＩＤは、ＴＳで伝送されている各情報を示す整理番号として作用するため、同一のパケットには同じＰＩＤが付される。以下ＴＳに重畳される各情報を説明する。
【００２３】
ＰＡＴ（Program Association Table）は、あるＴＳで提供されるサービス（番組）とそのＰＭＴのＰＩＤとの対応を示すテーブルである。
ＰＭＴ（Program Map Table）は、各サービスについて、そのサービスを構成する映像・音声パケットとその映像・音声パケットのＰＩＤとの対応を示すテーブルである。
ＮＩＴ（Network Information Table）は、すべてのＴＳにおけるサービスと、サービス形式の情報であるサービス記述子が記録されている。例えば、ＮＩＴには、全てのＴＳにおけるサービスが記録されるため、録画対象の番組が含まれるネットワークにおけるＮＩＴ（以下、自ネットワークのＮＩＴと記載する。）と、他のネットワークにおけるＮＩＴとが含まれ、各ＮＩＴはテーブルＩＤにより識別可能である。
【００２４】
ＳＤＴ(Service Description Table)は、全てのＴＳにより提供されるサービスの番組情報名等が記録されている。例えば、ＳＤＴには、録画対象の番組が重畳されるＴＳ（以下、自ＴＳのＳＤＴと記載する。）と、他のＴＳのＳＤＴとが含まれ、各ＳＤＴはテーブルＩＤにより識別可能である。
ＥＩＴ（Event Information Table）は、ＴＳが提供するサービスのイベント情報等が記録されている。ＥＩＴには、全てのＴＳにおいて現在放送中の番組と次に放送される番組の情報を提供するＥＩＴ＿present/following（以下、ＥＩＴ＿ｐ／ｆと記載する。）と、数日分の番組情報を提供するＥＩＴ＿scheduled（以下、ＥＩＴ＿ｓｃｈと記載する。）とが存在する。例えば、ＥＩＴ＿ｐ／ｆ、及びＥＩＴ＿ｓｃｈとは、それぞれ録画対象の番組が重畳されるＴＳ（以下、自ＴＳのＥＩＴと記載する。）と、他ＴＳのＥＩＴをそれぞれ含み、各ＥＩＴはテーブルＩＤにより識別可能である。また、各ＥＩＴは、サービスＩＤにより対象ＣＨの識別が可能であり、番組の進行状況を示すＲＳＴ（Running Status Table）や現在の時刻を示すＴＤＴ（Time Data Table）によりその内容を識別することが可能である。
【００２５】
制御部９４は、操作入力Ｉ／Ｆ９０を通じて入力された操作入力、及び所定のプログラムに順じてメディアプレーヤーの駆動を制御する。制御部９４は、所定の演算を行うＣＰＵや、このＣＰＵが演算を行うためのプログラムやデーターが記録されたＲＯＭや、ＣＰＵのワークメモリーとして作用するＲＡＭを備えて構成されている。
【００２６】
図３は、制御部９４により、ＴＳからパーシャルＴＳが生成される過程を説明する図である。ＣＰＵは、映像データー及び音声データーを記録する際、ＲＯＭに記録されたプログラムを実行することで、ＮＩＴ変換部８０、ＳＤＴ変換部８１、ＥＩＴ変換部８２、パーシャルＴＳ生成部８３の各機能を実現する。
【００２７】
ＮＩＴ変換部８０は、ＴＳから抽出したＮＩＴの内、録画対象となる映像・音声パケットに関係する情報のみを抽出する。ＴＳに重畳されるＮＩＴには、自ネットワークのＮＩＴと他ネットワークのＮＩＴが含まれるため、ＮＩＴ変換部８０はテーブルＩＤを参照して自ネットワークのＮＩＴのみを抽出する。
【００２８】
ＳＤＴ変換部８１は、ＴＳから抽出されたＳＤＴの内、録画対象となる映像・音声パケットに関係する情報のみを抽出する。ＴＳに重畳されるＳＤＴには、自ＴＳのＳＤＴと、他ＴＳのＳＤＴとが含まれるため、ＳＤＴ変換部８１は、テーブルＩＤを参照して重畳元である自ＴＳのＳＤＴのみを抽出する。
【００２９】
ＥＩＴ変換部８２は、ＴＳから抽出されたＥＩＴの内、録画対象となる映像・音声パケットに関係する情報のみを抽出する。ＳＤＴ変換部８１は、ＥＩＴから、テーブルＩＤ、サービスＩＤ、更にはＲＳＴ、ＴＤＴを参照して録画対象の番組に係る番組情報のみを抽出する。以上の構成により、制御部９４は本発明にかかる情報抽出手段としての機能を実現する。
【００３０】
パーシャルＴＳ生成部８３は、ＮＩＴ変換部８０、ＳＤＴ変換部８１、ＥＩＴ変換部８２がそれぞれ抽出した情報、及び映像・音声パケットを元にパーシャルＴＳを生成する。このパーシャルＴＳは、映像・音声パケットとこの映像・音声パケットに関係のあるＮＩＴ、ＳＤＴ、ＥＩＴが重畳して生成されたＴＳであり、チューナー部９１により抽出されたＴＳに比べて、ＮＩＴ、ＳＤＴ、ＥＩＴの各情報量が削減されている。上記構成とすることにより、録画用メモリー９７には録画番組に対応する情報と録画対象データーとが簡易的なＴＳとして記録されるため、データーのアクセスを容易に行うことができる。以上の構成により、制御部９４は本発明にかかる記録手段としての機能を実現する。
【００３１】
ＡＶデコーダー９５は、メディアプレーヤー１００の再生動作において、録画用メモリー９７に記録された映像データー、及び音声データーからビデオコンポジット信号を生成し、表示装置に出力する。
【００３２】
メモリーコントローラー９６は、制御部９４の命令により、上記パーシャルＴＳを、録画用メモリー９７に記録するためのインターフェースとして作用する。また、本実施形態に係る録画用メモリー９７は、ＨＤＤや、ブルーレイ・ディスクにより構成されている。
【００３３】
＝＝＝録画における処理について＝＝＝
図４は、メディアプレーヤー１００が録画時に実行する処理を説明するためのフローチャートである。図４に示す処理は、ユーザーがメディアプレーヤー１００に対して所定の番組を録画させる際に実行される処理である。
【００３４】
操作入力Ｉ／Ｆ９０を介して制御部９４に録画命令が入力されると、ステップＳ１では、制御部９４は、録画対象番組の映像パケットＥＳ（Ｖ）、音声パケットＥＳ（Ａ）及びＰＳＩ、ＳＩを特定する。具体的には、制御部９４は、ＴＳから抽出されたＮＩＴ、ＳＤＴ、ＥＩＴから、録画対象番組の各番組情報を抽出する。また、制御部９４は抽出したＮＩＴに記録されたサービスＩＤをもとに、ＰＡＴから録画対象番組にかかるＰＭＴを取得する。そして、制御部９４は、取得したＰＭＴから映像パケットＥＳ（Ｖ）音声パケットＥＳ（Ａ）のＴＳ内での位置を特定する。
【００３５】
ステップＳ２では、制御部９４は、特定した録画対象番組の映像パケットＥＳ（Ｖ）、音声パケットＥＳ（Ａ）をＴＳから抽出する。抽出された映像パケットＥＳ（Ｖ）、音声パケットＥＳ（Ａ）、及び各情報は、一旦、制御部９４内のＲＡＭに記憶される。
【００３６】
ステップＳ３では、制御部９４は、ＲＡＭに記憶したＰＳＩ情報及びＳＩ情報から、ステップＳ２で抽出された録画対象番組の映像パケットＥＳ（Ｖ）、音声パケットＥＳ（Ａ）に対応する情報だけを抽出する。
【００３７】
図５は、図４のステップＳ３において実行される処理を説明するフローチャートである。ステップＳ１１では、ＮＩＴ変換部８０は、テーブルＩＤを参照してＮＩＴ内の自ネットワークのＮＩＴを抽出する。即ち、ＮＩＴ変換部８０は、テーブルＩＤが「０ｘ４０」のＮＩＴを自ネットワークのＮＩＴとして抽出する。
【００３８】
ステップＳ１２では、ＳＤＴ変換部８１は、テーブルＩＤを参照してＳＤＴ内の自ＴＳのＳＤＴを抽出する。即ち、ＳＤＴ変換部８１は、テーブルＩＤが「０ｘ４２」のＳＤＴを自ＳＴのＳＤＴとして抽出する。
【００３９】
ステップＳ１３では、ＥＩＴ変換部８２は、テーブルＩＤを参照してＥＩＴ内の自ＴＳの現在放送中の番組と次に放送される番組のＥＩＴ＿ｐ／ｆを抽出する。また、ステップＳ１４では、ＥＩＴ変換部８２は、サービスＩＤを参照して、自ＴＳ内のＥＩＴ＿ｐ／ｆから、録画対象番組と同一チャンネルのＥＩＴ＿ｐ／ｆを抽出する。
【００４０】
そして、ステップＳ１５では、ＥＩＴ変換部８２は、ＴＤＴ又はＲＳＴを参照してＥＩＴ＿ｐ／ｆに記録された情報を録画対象番組に係るＥＩＴとして抽出する。即ち、ＴＤＴを用いた場合では、制御部９４は、ＥＩＴ＿ｐ／ｆに記録された現在放送中の番組にかかる情報を録画時刻をもとに判定し、この情報を録画対象番組に係る情報として抽出する。
【００４１】
図４のステップＳ４に戻り、パーシャルＴＳ生成部８３は、ステップＳ３で抽出されたＰＳＩ情報、ＳＩ情報、及びステップＳ２で抽出された録画対象番組の映像パケットＥＳ（Ｖ）、音声パケットＥＳ（Ａ）を合成してパーシャルＴＳを生成する。
【００４２】
ステップＳ５では、制御部９４は、生成したパーシャルＴＳを録画用メモリー９７の所定アドレスに記録させる。そのため、制御部９４は、メモリーコントローラー９６を制御し、録画用メモリーの所定アドレスに対してパーシャルＴＳを記録させる。なお、ステップＳ１〜Ｓ５にかかる処理は、録画対象番組におけるすべてのパケットが受信されるまで繰返される（ステップＳ６）。
【００４３】
以上説明したように、本実施形態にかかるメディアプレーヤー１００では、制御部９４はＴＳに重畳されたＮＩＴ、ＳＤＴ、ＥＩＴの内、録画対象番組に関係する情報のみを抽出し、前記抽出された情報を録画用メモリー９７に記録するため、この番組と関係が深い情報のみが録画用メモリー９７に記録され、メモリー容量の負荷を低減させて容易に番組情報を保持することができる。
また、番組録画を時間で区切った場合においても、録画される番組ごとに関係が深い情報を保有することが可能となる。
【００４４】
２．第２の実施形態：
図４のステップＳ１において、制御部９４に入力される録画命令としては、特定の番組を録画するために指定される情報に限定されず、録画時間を指定する情報であってもよい。例えば、任意のチャンネルにおいて録画時間をＰＭ７：００〜ＰＭ９：００に指定する場合において、この時間内に２つの番組が放送されている場合、制御部９４は、各番組に対して関係するＮＩＴ、ＳＤＴ、ＥＩＴの情報を抽出し、パーシャルＴＳを生成する構成としてもよい。
【００４５】
３．その他の実施形態：
本発明は、様々な実施形態が存在する。
例えば、録画装置の具体例としてメディアプレーヤーを用いることは一例であり、録画機能を備える表示装置（テレビジョン受像機）であってもよい。
【００４６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４７】
８０…ＮＩＴ変換部、８１…ＳＤＴ変換部、８２…ＥＩＴ変換部、８３…パーシャルＴＳ生成部、９０…操作入力Ｉ／Ｆ、９１…チューナー部、９２…デ・スクランブル部、９３…トランスポートデコーダー、９４…制御部、９５…ＡＶデコーダー、９６…メモリーコントローラー、９７…録画用メモリー、１００…メディアプレーヤー
【図１】
2011155374.tif 000003
【図２】
2011155374.tif 000004
【図３】
2011155374.tif 000005
【図４】
2011155374.tif 000006
【図５】
2011155374.tif 000007